(57)【要約】      （修正有）【課題】水中ビークルに搭載される冷却システムにおいて、システムの大型化を抑制しつつ、冷却能力を向上させる技術を提案する。【解決手段】水中ビークル用冷却システム２は、水中ビークル１の耐圧殻の内部に配置された液浸槽２１、耐圧殻の外部に配置された外部熱交換器３１、液浸槽２１の槽出口と外部熱交換器３１の入口とを接続する往路管４１、及び、外部熱交換器３１の出口と液浸槽２１の槽入口とを接続する復路管４２を有する密閉された冷媒循環路４を備える。液浸槽２１内において発熱体を冷媒に浸し、外部熱交換器３１で冷媒と耐圧殻の周囲の水との熱交換が行われることにより、発熱体が冷却される。【選択図】図１
2020164054.tif 000002
【特許請求の範囲】
【請求項１】
水中ビークルの耐圧殻の内部に配置された液浸槽、前記耐圧殻の外部に配置された外部熱交換器、前記液浸槽の槽出口と前記外部熱交換器の入口とを接続する往路管、及び、前記外部熱交換器の出口と前記液浸槽の槽入口とを接続する復路管を有する密閉された冷媒循環路を備え、
前記液浸槽内において発熱体を冷媒に浸し、前記外部熱交換器で前記冷媒と前記耐圧殻の周囲の水との熱交換が行われることにより、前記発熱体が冷却される、
水中ビークル用冷却システム。
【請求項２】
前記耐圧殻の内部に配置された内部熱交換器を含み、上流端及び下流端が前記冷媒循環路に接続され、前記内部熱交換器を通って前記冷媒を流す内部熱交換路と、
前記冷媒循環路と前記内部熱交換路との接続部に設けられた流量調整弁とを、更に備える、
請求項１に記載の水中ビークル用冷却システム。
【請求項３】
前記内部熱交換路は、前記外部熱交換器をバイパスして、前記往路管から前記内部熱交換器を通って前記復路管へ前記冷媒を流すことを特徴とする、
請求項２に記載の水中ビークル用冷却システム。
【請求項４】
前記冷媒循環路の循環冷媒温度を検出する第１検出器と、
前記循環冷媒温度に基づいて前記外部熱交換器の熱交換能力の不足を検知し、前記内部熱交換路へ前記冷媒が流れるように前記流量調整弁を制御する第１弁制御部とを、更に備える、
請求項２〜３のいずれか一項に記載の水中ビークル用冷却システム。
【請求項５】
前記冷媒を圧送する冷媒ポンプを含み、上流端及び下流端が前記冷媒循環路に接続された強制循環経路と、
前記強制循環経路の前記上流端と前記冷媒循環路との接続部に設けられた流路切替弁とを、更に備える、
請求項１〜４のいずれか一項に記載の水中ビークル用冷却システム。
【請求項６】
前記冷媒循環路の循環冷媒量を検出する第２検出器と、
前記循環冷媒量に基づいて前記発熱体の熱負荷に対する冷却能力の不足を検知し、前記強制循環経路へ前記冷媒が流れるように前記流路切替弁を制御する第２弁制御部とを、更に備える、
請求項５に記載の水中ビークル用冷却システム。
【請求項７】
前記液浸槽が、槽内上部に設けられた上部出口と、槽内下部に設けられた下部出口と、前記上部出口及び前記下部出口を前記液浸槽の前記槽出口と選択的に接続する槽内流路切替弁とを、更に有する、
請求項１〜６のいずれか一項に記載の水中ビークル用冷却システム。
【発明の詳細な説明】
【技術分野】
【０００１】
本発明は、水中ビークルに搭載される冷却システムに関する。
【背景技術】
【０００２】
従来から、水中ビークルに搭載された発熱体（例えば、電池、インバータ、サーバーなどの電子機器）を、海水を利用して冷却する技術が知られている。図３は、水中ビークル１０１に搭載された従来の冷却システム１０２の一例を示すブロック図である。図３に示すように、従来の水中ビークル１０１は、海水を用いる冷凍機８１と、冷凍機８１で生成された冷水を用いて冷風を送り出すＦＣＵ８５（ファンコイルユニット）とを、耐圧殻１０の内部に備える。ＦＣＵ８５から送り出された冷風によって、耐圧殻１０の内部に配置された発熱体２０Ａが空冷される。冷凍機８１は、海水流路８２と、冷水回路８４と、海水流路８２と冷水回路８４の熱交換を仲介する冷凍回路８３とを有する。
【０００３】
特許文献１は、上記のように海水を利用する冷凍装置を備えた潜水艦を開示する。この冷凍装置は、艦体内殻の内部に配置された凝縮器を含む冷凍回路と、凝縮器の水蓋と艦体内殻の外部に配置された冷却器とを含む密閉循環路とを備える。密閉循環路を自然循環式又は強制循環式で循環する冷却流体は、冷却器において海水で冷却されて、凝縮器の水蓋で冷凍回路を循環する冷媒と熱交換する。この冷凍装置では、凝縮器が海水によって間接的に冷却される。
【先行技術文献】
【特許文献】
【０００４】
【特許文献１】実開昭５６−１６８４９４号公報
【発明の概要】
【発明が解決しようとする課題】
【０００５】
水中ビークルに搭載される電子機器（例えば、電池、インバータ、サーバーなど）の高性能化に伴い、水中ビークル内の熱負荷の上昇が予想される。熱負荷の上昇に対応するため、水中ビークルに搭載される冷却システムの冷却能力の更なる向上が要求される。しかし、例えば、図３に示す従来の冷却システムで冷却能力を向上させる場合には、冷凍機８１へ海水を送る海水ポンプ８６の大型化、ＦＣＵ８５へ冷水を送る冷水ポンプ８７の大型化、及び、ＦＣＵ８５の送風機の大型化などによって、システム全体の大型化や消費エネルギーの増加が伴う。
【０００６】
本発明は以上の事情に鑑みてされたものであり、その目的は、水中ビークルに搭載される冷却システムにおいて、システムの大型化を抑制しつつ、冷却能力を向上させる技術を提案することにある。
【課題を解決するための手段】
【０００７】
本発明の一態様に係る水中ビークル用冷却システムは、
水中ビークルの耐圧殻の内部に配置された液浸槽、前記耐圧殻の外部に配置された外部熱交換器、前記液浸槽の槽出口と前記外部熱交換器の入口を接続する往路管、及び、前記外部熱交換器の出口と前記液浸槽の槽入口とを接続する復路管を有する密閉された冷媒循環路を備え、前記液浸槽内において発熱体を冷媒に浸し、前記外部熱交換器で前記冷媒と前記耐圧殻の周囲の水との熱交換が行われることにより、前記発熱体が冷却されるものである。
【０００８】
上記構成の水中ビークル用冷却システムによれば、発熱体が冷媒に浸す液浸透液冷方式により冷却されるうえ、冷媒が耐圧殻の周囲の水と直接的に熱交換される。液相の冷媒が発熱体に直接的に接触して熱を除去するため、従来の空冷方式と比較して、冷却能力が格段に向上する。また、冷却能力の向上により、発熱体の設置密度を高めることができ、システムの大型化を抑制することができる。
【発明の効果】
【０００９】
本発明によれば、水中ビークルに搭載される冷却システムにおいて、システムの大型化を抑制しつつ、冷却能力を向上させる技術を提案することができる。
【図面の簡単な説明】
【００１０】
【図１】図１は、本発明の一実施形態に係る水中ビークルに搭載された冷却システムの全体的な構成を示すブロック図である。
【図２】図２は、冷却システムの制御系統の構成を示す図である。
【図３】図３は、従来の水中ビークルに搭載された冷却システムの全体的な構成を示すブロック図である。
【発明を実施するための形態】
【００１１】
次に、図面を参照して本発明の実施の形態を説明する。図１は、本発明の一実施形態に係る水中ビークル１に搭載された冷却システム２の全体的な構成を示すブロック図である。
【００１２】
図１に示す水中ビークル１は、水中及び水上を航走し、水圧に耐えるための耐圧殻１０を有する。以下、耐圧殻１０の内部を「ビークル内１１」と表し、耐圧殻１０の外部を「ビークル外１２」と表す。なお、耐圧殻１０が非耐圧構造の外殻と耐圧構造の内殻の二層からなる場合は、ビークル内１１とは内殻の内部を表し、ビークル外１２とは内殻の外部（内殻と外殻との間を含む）を表す。
【００１３】
水中ビークル１に搭載された冷却システム２は、ビークル内１１に設けられた液浸槽２１を備える。液浸槽２１内には冷媒２２が充填されている。液浸槽２１の冷媒は、槽内下部においては液相であり、槽内上部においては気液二相（又は気相）である。液相の冷媒２２に発熱体２０が丸ごと沈められている。冷媒２２としては、電源を含む電子機器を浸して稼働させることが可能な不活性液体が用いられる。
【００１４】
ビークル外１２には、外部熱交換器３１が設けられている。液浸槽２１の頂部に設けられた槽出口２１ａと外部熱交換器３１の入口とが往路管４１で接続されている。液浸槽２１の下部に設けられた槽入口２１ｂと外部熱交換器３１の出口とが復路管４２で接続されている。水中ビークル１が深度一定で航走している姿勢、水中ビークル１が水上航走している姿勢、及び、水中ビークル１が停留している姿勢において、往路管４１は復路管４２よりも上方に位置する。
【００１５】
液浸槽２１と外部熱交換器３１とが往路管４１及び復路管４２で接続されることによって、液浸槽２１と外部熱交換器３１とを含む密閉された冷媒循環路４が形成されている。冷媒循環路４内は、大気圧である、又は、大気圧よりも減圧されている。冷媒系内で冷媒２２の相変化が生じるように、冷媒循環路４内の真空度が調整されてよい。冷媒２２の相変化で生じる潜熱を利用することにより、冷媒系内の熱輸送効率を更に向上させることができる。
【００１６】
外部熱交換器３１は、耐圧殻１０の周囲の水と冷媒循環路４を流れる冷媒２２とを熱交換させることにより、冷媒２２を冷却する。本実施形態では、水中ビークル１は海を航走し、耐圧殻１０の周囲の水は海水である。但し、水中ビークル１が湖沼を航走する場合には、耐圧殻１０の周囲の水は真水である。
【００１７】
液浸槽２１の槽出口２１ａには、槽内流路切替弁２３が設けられている。液浸槽２１内の上部には、気液二相又は気相の冷媒２２の出口である上部出口２４が設けられている。上部出口２４は配管等を介して槽内流路切替弁２３と接続されている。また、液浸槽２１内の下部には、液相の冷媒２２の出口である下部出口２５が設けられている。下部出口２５と槽内流路切替弁２３とは揚液管２６で接続されており、揚液管２６には冷媒２２を圧送する揚液ポンプ２７が設けられている。
【００１８】
槽内流路切替弁２３は、ビークル内１１に設けられた制御装置７の制御を受けて、槽出口２１ａと上部出口２４とが接続された第１状態と、槽出口２１ａと下部出口２５とが接続された第２状態とを、選択的に切り替える。
【００１９】
往路管４１において、外部熱交換器３１の直ぐ上流側には第１開閉弁４３が設けられている。また、復路管４２において、外部熱交換器３１の直ぐ下流側には第２開閉弁４４が設けられている。第１開閉弁４３及び第２開閉弁４４が開放されているとき、外部熱交換器３１へ冷媒２２が流れる。第１開閉弁４３及び第２開閉弁４４が閉止されているとき、外部熱交換器３１へ冷媒２２が流れない。第１開閉弁４３及び第２開閉弁４４は、制御装置７の制御を受けて、弁の開閉を切り替える。
【００２０】
往路管４１には、消火流路５５が接続されている。消火流路５５には、消火用開閉弁５６が設けられている。ビークル内１１で火災が生じたときには、消火用開閉弁５６が開放されて火災現場へ冷媒２２が送られ、冷媒２２が消火に利用される。
【００２１】
復路管４２の内部熱交換路５との接続部よりも下流側には、強制循環経路４８の上流端と下流端とが接続されている。強制循環経路４８には、冷媒２２を圧送する冷媒ポンプ４７が設けられている。復路管４２と強制循環経路４８の上流端との接続部には、流路切替弁４６が設けられている。流路切替弁４６は、制御装置７の制御を受けて、復路管４２を流れる冷媒２２を強制循環経路４８に流さない第１状態と、復路管４２を流れる冷媒２２を強制循環経路４８に流す第２状態とに、選択的に切り替える。流路切替弁４６の切り替えによって、冷媒循環路４を流れる冷媒２２が強制循環経路４８を経由する強制循環式と、冷媒循環路４を流れる冷媒２２が強制循環経路４８を経由しない自然循環式とが切り替わる。
【００２２】
冷媒循環路４には、往路管４１を流れる冷媒２２を外部熱交換器３１を介さずに復路管４２へ流す内部熱交換路５が接続されている。内部熱交換路５の上流端は往路管４１と接続され、内部熱交換路５の下流端は復路管４２と接続されている。内部熱交換路５の上流端と往路管４１との接続部には、流量調整弁５１が設けられている。流量調整弁５１は、制御装置７の制御を受けて０〜１００％の範囲で開度を変化させることにより、内部熱交換路５へ流れる冷媒の流量を調整する。
【００２３】
内部熱交換路５には、内部熱交換器６が設けられている。内部熱交換器６は、ビークル内１１に設けられている。内部熱交換器６は、冷水回路８４を流れる冷水と冷媒２２とを熱交換させることにより、冷媒２２を冷却する。冷水回路８４を流れる冷水は、ビークル内１１に設けられた冷凍機８１によって冷却される。
【００２４】
海水を用いる冷凍機８１と、冷凍機８１で生成された冷水を用いて冷風を送り出すＦＣＵ８５（ファンコイルユニット）とを、耐圧殻１０の内部に備える。ＦＣＵ８５から送り出された冷風によって、耐圧殻１０の内部に配置された発熱体２０Ａが空冷される。冷凍機８１は、海水流路８２と、冷水回路８４と、海水流路８２と冷水回路８４の熱交換を仲介する冷凍回路８３とを有する。海水流路８２には、海水を圧送する海水ポンプ８６が設けられている。冷水回路８４には、冷水を強制的に循環させる冷水ポンプ８７が設けられている。
【００２５】
海水流路８２にはビークル外１２から海水が取り込まれる。冷凍機８１において、海水流路８２を流れる海水と冷凍回路８３を流れる冷媒との熱交換によって、冷媒が冷却される。暖められた海水は、ビークル外１２へ排出される。また、冷凍機８１において、冷却された冷媒と冷水回路８４を流れる冷水との熱交換によって冷水が冷却される。つまり、冷凍機８１は、海水を用いて冷水回路８４を流れる冷水を間接的に冷却する。冷水回路８４は、内部熱交換器６の他、ビークル内１１に設けられたＦＣＵ（ファンコイルユニット）８５を流れてもよい。ＦＣＵ８５から送り出された冷風によって、ビークル内１１に配置された発熱体２０Ａが空冷される。
【００２６】
図２は、冷却システム２の制御系統の構成を示す図である。図１及び図２に示すように、制御装置７には、温度計７５、及び、流量計７６が有線又は無線で電気的に接続されており、これらの検出値を取得する。温度計７５は、復路管４２に設けられて、液浸槽２１へ流入する冷媒２２の温度である循環冷媒温度Ｔを検出する。本実施形態において、温度計７５は復路管４２において流路切替弁４６の直ぐ上流側に設けられている。流量計７６は、復路管４２に設けられて、液浸槽２１へ流入する冷媒２２の流量である循環冷媒量Ｆを検出する。本実施形態において、流量計７６は、復路管４２において、液浸槽２１の槽入口２１ｂの直ぐ上流側に設けられている。
【００２７】
制御装置７は、槽内流路切替弁２３、流量調整弁５１、流路切替弁４６、第１開閉弁４３、及び、第２開閉弁４４と電気的に接続されており、これらの弁の動作を制御する。制御装置７は、流量調整弁５１の動作を制御する第１弁制御部７１、流路切替弁４６の動作を制御する第２弁制御部７２、槽内流路切替弁２３の動作を制御する第３弁制御部７３としての機能を含む。また、制御装置７は、揚液ポンプ２７、及び、冷媒ポンプ４７と電気的に接続されており、これらのポンプの動作を制御する。
【００２８】
制御装置７は、いわゆるコンピュータであって、例えば、マイクロコントローラ、ＣＰＵ、ＭＰＵ、ＰＬＣ、ＤＳＰ、ＡＳＩＣ又はＦＰＧＡ等の演算処理装置（プロセッサ）と、ＲＯＭ、ＲＡＭ等の揮発性及び不揮発性の記憶装置とを有する（いずれも図示せず）。記憶装置には、演算処理装置が実行するプログラム、各種固定データ等が記憶されている。制御装置では、記憶装置に記憶されたプログラム等のソフトウェアを演算処理装置が読み出して実行することにより、冷却システム２を運転するための処理が行われる。以下、制御装置７による冷却システム２の運転制御について説明する。
【００２９】
〔定常運転〕
先ず、冷却システム２の定常運転について説明する。定常運転において、第１開閉弁４３及び第２開閉弁４４は開放されて、冷媒２２は外部熱交換器３１を流れる。槽内流路切替弁２３は、上部出口２４が槽出口２１ａを介して往路管４１と接続された第１状態にある。流量調整弁５１は閉止されており、内部熱交換路５に冷媒２２は流れない。流路切替弁４６は、冷媒２２を強制循環経路４８に流さない第１状態にある。
【００３０】
定常運転時の冷却システム２では、液浸槽２１において発熱体２０によって温められた液相の冷媒２２が沸騰して気泡が生じる。気液二相又は気相の冷媒２２が上部出口２４を通じて液浸槽２１から往路管４１へ流出する。往路管４１を通じて外部熱交換器３１へ流れた気相の冷媒２２は、外部熱交換器３１で海水により冷却されて、凝縮して液相となる。液相の冷媒２２は、外部熱交換器３１から復路管４２へ流れ出て、槽入口２１ｂから液浸槽２１へ戻る。このように、定常運転時の冷却システム２では、冷媒２２の相変化によって、冷媒２２に密度の差が生じ、冷媒２２が冷媒循環路４を自然循環する。つまり、定常運転時の冷却システム２では、二相自然循環ループが形成されている。
【００３１】
制御装置７は、温度計７５で検出される循環冷媒温度Ｔと、流量計７６で検出される循環冷媒量Ｆを常時監視している。なお、本実施形態において、循環冷媒温度Ｔは温度計７５で検出するが、圧力計で検出された冷媒２２の圧力や流量計で検出された冷媒２２の流量に基づいて循環冷媒温度Ｔを間接的に検出してもよい。また、本実施形態において、循環冷媒量Ｆを流量計７６で検出するが、温度計で検出された冷媒２２の温度や圧力計で検出された冷媒２２の圧力に基づいて循環冷媒量Ｆを間接的に検出してもよい。
【００３２】
耐圧殻１０の周囲の海水温度は、水中ビークル１の深度によって変化する。このような海水温度の変化により、外部熱交換器３１の熱交換能力が変動する。また、水中ビークル１は、水中だけではなく、水上を航走することがある。水上航走時に、外部熱交換器３１が海水に浸からなくなると、海水を利用した外部熱交換器３１を利用することができない。このように、海水温の上昇、外部熱交換器３１の故障、水上航走などの原因によって、外部熱交換器３１の熱交換能力が低下することがある。外部熱交換器３１の熱交換能力の低下は、循環冷媒温度Ｔに基づいて推定することができる。また、発熱体２０の熱負荷の上昇時には、冷媒２２の自然循環では、冷却能力が不足することがある。冷却システム２の冷却能力の不足は、循環冷媒量Ｆに基づいて推定することができる。
【００３３】
制御装置７は、循環冷媒温度Ｔに基づいて外部熱交換器３１の熱交換能力の不足を検知し、内部熱交換路５へ冷媒が流れるように流量調整弁５１を制御する。また、制御装置７は、循環冷媒量Ｆに基づいて発熱体２０の熱負荷に対する冷却能力の不足を検知し、強制循環経路４８へ冷媒が流れるように流路切替弁４６を制御する。制御装置７は、検出された循環冷媒温度Ｔと循環冷媒量Ｆとの組み合わせに応じて、以下に説明するように、運転方法を切り替える。
【００３４】
【表１】
2020164054.tif 000003
【００３５】
表１に示すように、循環冷媒温度Ｔが所定の温度閾値Ｔ０以下であり、且つ、循環冷媒量Ｆが所定の流量閾値Ｆ０以上である場合には、制御装置７は冷却システム２の定常運転を行う。循環冷媒温度Ｔが温度閾値Ｔ０を上回り、且つ、循環冷媒量Ｆが流量閾値Ｆ０以上である場合には、制御装置７は冷却システム２の「熱交併用運転」を行う。循環冷媒温度Ｔが温度閾値Ｔ０以下であり、且つ、循環冷媒量Ｆが流量閾値Ｆ０未満である場合には、制御装置７は冷却システム２の「強制循環運転」を行う。循環冷媒温度Ｔが温度閾値Ｔ０を上回り、且つ、循環冷媒量Ｆが流量閾値Ｆ０未満である場合には、制御装置７は冷却システム２の「強制循環・熱交併用運転」を行う。
【００３６】
〔熱交併用運転〕
熱交併用運転の冷却システム２では、第１開閉弁４３及び第２開閉弁４４は開放されて、冷媒２２は外部熱交換器３１を流れる。槽内流路切替弁２３は第１状態にあり、上部出口２４が槽出口２１ａを介して往路管４１と接続されている。流量調整弁５１は開放されており、冷媒２２は内部熱交換路５を流れる。流量調整弁５１によって、内部熱交換路５を流れる冷媒２２の流量が調整されてもよい。流路切替弁４６は第１状態にあり、冷媒２２は強制循環経路４８を流れない。
【００３７】
熱交併用運転の冷却システム２では、液浸槽２１において発熱体２０によって温められた液相の冷媒２２は蒸発して気液二相（又は気相）となり、上部出口２４を通じて液浸槽２１から往路管４１へ流出する。往路管４１へ流れ出た冷媒２２の一部は、外部熱交換器３１で海水により冷却されて、凝縮して液相となって復路管４２へ流入する。往路管４１へ流れ出た冷媒２２の残部は、内部熱交換路５を通って内部熱交換器６で冷水により冷却されて、凝縮して液相となって復路管４２へ流入する。復路管４２へ流入した冷媒２２は、槽入口２１ｂから液浸槽２１へ戻る。このように、熱交併用運転の冷却システム２では、冷媒２２の相変化によって、冷媒２２が内部熱交換路５を含む冷媒循環路４を自然循環する。
【００３８】
熱交併用運転では、原則として外部熱交換器３１と内部熱交換器６とが併用されるが、内部熱交換器６のみが使用されてもよい。この場合、上記の熱交併用運転の冷却システム２において、第１開閉弁４３及び第２開閉弁４４が閉止される。
【００３９】
〔強制循環運転〕
強制循環運転の冷却システム２では、第１開閉弁４３及び第２開閉弁４４は開放されて、冷媒２２は外部熱交換器３１を流れる。槽内流路切替弁２３は第１状態にあり、上部出口２４が槽出口２１ａを介して往路管４１とが接続されている。流量調整弁５１は閉止されており、冷媒２２は内部熱交換路５を流れない。流路切替弁４６は第２状態にあり、冷媒ポンプ４７が稼働されて、冷媒２２は強制循環経路４８を流れる。
【００４０】
強制循環運転の冷却システム２では、液浸槽２１において発熱体２０によって温められた液相の冷媒２２は蒸発して気相となり、気液二相（又は気相）の冷媒２２は上部出口２４を通じて液浸槽２１から往路管４１へ流出する。往路管４１へ流れ出た冷媒２２は、外部熱交換器３１で海水により冷却されて、凝縮して液相となって復路管４２へ流入する。復路管４２へ流入した冷媒２２は、強制循環経路４８を経由して、槽入口２１ｂから液浸槽２１へ戻る。このように、熱交併用運転の冷却システム２では、冷媒ポンプ４７の稼働により、冷媒２２が強制的に循環させられる。
【００４１】
強制循環運転の冷却システム２において、液相（又は、気液二相）の冷媒２２を循環させてもよい。この場合、上記強制循環運転の冷却システム２において、槽内流路切替弁２３は第２状態にあり、下部出口２５が槽出口２１ａを介して往路管４１と接続され、揚液ポンプ２７が稼働される。
【００４２】
このような強制循環運転の冷却システム２では、液浸槽２１において発熱体２０によって温められた液相の冷媒２２は、下部出口２５を通じて液浸槽２１から往路管４１へ圧送される。往路管４１へ流れ出た冷媒２２は、外部熱交換器３１で海水により冷却されて、復路管４２へ流入する。復路管４２へ流入した冷媒２２は、強制循環経路４８を経由して、槽入口２１ｂから液浸槽２１へ戻る。このように、熱交併用運転の冷却システム２では、揚液ポンプ２７及び冷媒ポンプ４７の稼働により、液相（又は、気液二相）の冷媒２２が強制的に循環させられる。
【００４３】
〔強制循環・熱交併用運転〕
強制循環・熱交併用運転の冷却システム２では、第１開閉弁４３及び第２開閉弁４４は開放されて、冷媒２２は外部熱交換器３１を流れる。槽内流路切替弁２３は第２状態にあり、下部出口２５が槽出口２１ａを介して往路管４１と接続されて、揚液ポンプ２７が稼働される。流量調整弁５１は開放されており、冷媒２２は内部熱交換路５及び内部熱交換器６を流れる。流量調整弁５１によって、内部熱交換路５を流れる冷媒２２の流量が調整されてもよい。流路切替弁４６は第２状態にあり、冷媒ポンプ４７が稼働され、冷媒２２が強制循環経路４８を流れる。
【００４４】
強制循環・熱交併用運転の冷却システム２では、液浸槽２１において発熱体２０によって温められた液相（又は、気液二相）の冷媒２２は、下部出口２５を通じて液浸槽２１から往路管４１へ圧送される。往路管４１へ流れ出た冷媒２２の一部は、外部熱交換器３１で海水により冷却されて、復路管４２へ流入する。往路管４１へ流れ出た冷媒２２の残部は、内部熱交換路５を通って内部熱交換器６で冷水により冷却されて、復路管４２へ流入する。復路管４２へ流入した冷媒２２は、強制循環経路４８を経由して、槽入口２１ｂから液浸槽２１へ戻る。このように、強制循環・熱交併用運転の冷却システム２では、揚液ポンプ２７及び冷媒ポンプ４７の稼働により、液相（又は、気液二相）の冷媒２２が強制的に循環させられる。そのうえ、強制循環・熱交併用運転の冷却システム２では、冷媒２２の冷却に外部熱交換器３１と内部熱交換器６とが併用される。これにより、強制循環・熱交併用運転の冷却システム２では、冷却システム２の冷却能力が定常運転時と比較して大幅に増幅される。
【００４５】
以上に説明したように、本実施形態に係る水中ビークル用冷却システム２は、水中ビークル１の耐圧殻１０の内部に配置された液浸槽２１、耐圧殻１０の外部に配置された外部熱交換器３１、液浸槽２１の槽出口２１ａと外部熱交換器３１の入口を接続する往路管４１、及び、外部熱交換器３１の出口と液浸槽２１の槽入口２１ｂとを接続する復路管４２を有する密閉された冷媒循環路４を備える。そして、液浸槽２１内において発熱体２０を冷媒２２に浸し、外部熱交換器３１で冷媒２２と耐圧殻１０の周囲の水との熱交換が行われることにより、発熱体２０が冷却される。
【００４６】
上記構成の水中ビークル用冷却システム２によれば、冷媒２２に浸す液浸透液冷方式により発熱体２０が冷却されるうえ、冷媒２２が耐圧殻１０の周囲の水と直接的に熱交換される。液相の冷媒２２が発熱体に直接的に接触して熱を除去するため、従来の空冷方式と比較して、冷却能力が格段に向上する。また、冷却能力の向上により、発熱体２０の設置密度を高めることができ、システムの大型化を抑制することができる。また、冷却システム２は、空冷式と比較して静音であり、閉じられた空間であるビークル内１１での発熱体２０の冷却に好適である。
【００４７】
また、本実施形態に係る水中ビークル１は、耐圧殻１０の内部に配置された内部熱交換器６を含み、上流端及び下流端が冷媒循環路４に接続され、内部熱交換器６を通って冷媒を流す内部熱交換路５と、冷媒循環路４と内部熱交換路５との接続部に設けられた流量調整弁５１とを、更に備える。
【００４８】
これにより、外部熱交換器３１の熱交換能力が低下したときには、外部熱交換器３１と内部熱交換路５とを併用する、又は、熱交換器を外部熱交換器３１から内部熱交換路５へ切り替えることにより、冷却システム２の冷却性能を維持することができる。
【００４９】
上記において、内部熱交換路５は、外部熱交換器３１をバイパスして、往路管４１から内部熱交換器６を通って復路管４２へ冷媒２２を流すものであってよい。
【００５０】
これにより、外部熱交換器３１の熱交換能力が低下したときには、冷媒２２を冷却するための熱交換器を外部熱交換器３１から内部熱交換路５へ切り替えて、冷却システム２の冷却性能を維持することができる。
【００５１】
上記冷却システム２が、冷媒循環路４の循環冷媒温度Ｔを検出する第１検出器（例えば、温度計７５）と、循環冷媒温度Ｔに基づいて外部熱交換器３１の熱交換能力の不足を検知し、内部熱交換路５へ冷媒が流れるように流量調整弁５１を制御する第１弁制御部７１とを、更に備えてもよい。
【００５２】
これにより、外部熱交換器３１の熱交換能力が低下したときに、自動的に冷媒２２が内部熱交換路５を流れるように切り替わり、熱交換能力が低下を補うことができる。
【００５３】
また、本実施形態に係る冷却システム２は、冷媒２２を圧送する冷媒ポンプ４７を含み、上流端及び下流端が冷媒循環路４に接続された強制循環経路４８と、強制循環経路４８の上流端と冷媒循環路４との接続部に設けられた流路切替弁４６とを、更に備える。
【００５４】
これにより、冷却システム２の冷却能力が不足する際には、冷媒２２を強制的に循環させて、冷却能力を増幅させることができる。
【００５５】
上記冷却システム２が、冷媒循環路４の循環冷媒量Ｆを検出する第２検出器（例えば、流量計７６）と、循環冷媒量Ｆに基づいて発熱体２０の熱負荷に対する冷却能力の不足を検知し、強制循環経路４８へ冷媒が流れるように流路切替弁４６を制御する第２弁制御部７２とを、更に備えてよい。
【００５６】
これにより、冷却システム２の冷却能力が不足する際には、自動的に冷媒２２を強制的に循環させて、冷却能力を増幅させることができる。
【００５７】
また、本実施形態に係る冷却システム２において、液浸槽２１が、槽内上部に設けられた上部出口２４と、槽内下部に設けられた下部出口２５と、上部出口２４及び下部出口２５を液浸槽２１の槽出口２１ａと選択的に接続する槽内流路切替弁２３とを、更に有する。
【００５８】
これにより、冷媒循環路４から往路管４１へ気相の冷媒２２が流出する状態（第１状態）と、液相（又は、気液二相）の冷媒２２が流出する状態（第２状態）とを切り替えることができる。第１状態では、冷媒２２の相変化を利用して冷媒２２が冷媒循環路４を自然循環するので、冷媒２２を強制的に循環させるためのエネルギーが不要となる。また、第２状態では、冷媒循環路４に液相（又は、気液二相）の冷媒２２を循環させることができるので、冷却システム２の冷却能力をより高めることができる。
【００５９】
以上に本発明の好適な実施の形態を説明したが、本発明の思想を逸脱しない範囲で、上記実施形態の具体的な構造及び／又は機能の詳細を変更したものも本発明に含まれ得る。
【符号の説明】
【００６０】
１      ：水中ビークル
２      ：冷却システム
４      ：循環路
５      ：内部熱交換路
６      ：内部熱交換器
７      ：制御装置
１０    ：耐圧殻
１１    ：ビークル内
１２    ：ビークル外
２０，２０Ａ：発熱体
２１    ：液浸槽
２１ａ  ：槽出口
２１ｂ  ：槽入口
２２    ：冷媒
２３    ：槽内流路切替弁
２４    ：上部出口
２５    ：下部出口
２６    ：揚液管
２７    ：揚液ポンプ
３１    ：外部熱交換器
４１    ：往路管
４２    ：復路管
４３    ：第１開閉弁
４４    ：第２開閉弁
４６    ：流路切替弁
４７    ：冷媒ポンプ
４８    ：強制循環経路
５１    ：流量調整弁
５５    ：消火流路
５６    ：消火用開閉弁
７１    ：演算処理装置
７２    ：記憶装置
７５    ：温度計
７６    ：流量計
８１    ：冷凍機
８２    ：海水流路
８３    ：冷凍回路
８４    ：冷水回路
８５    ：ＦＣＵ
８６    ：海水ポンプ
８７    ：冷水ポンプ
Ｆ      ：循環冷媒量
Ｆ０    ：流量閾値
Ｔ      ：循環冷媒温度
Ｔ０    ：温度閾値
【図１】
2020164054.tif 000004
【図２】
2020164054.tif 000005
【図３】
2020164054.tif 000006